(57)【特許請求の範囲】
【請求項１】
剥離紙と、この剥離紙に貼付されたインデックスラベルとからなるインデックスラベルシートにおいて、
前記インデックスラベルの少なくとも一端側に折り曲げ可能な位置決め部を設け、この位置決め部は、インデックスラベルの厚さ寸法未満のプレス線若しくは切り込みにより構成されていることを特徴とするインデックスラベルシート。
【請求項２】
剥離紙と、この剥離紙に貼付されたインデックスラベルとからなるインデックスラベルシートにおいて、
前記インデックスラベルの少なくとも一端側に位置する剥離紙に折り曲げ可能な位置決め部を設け、この位置決め部は、剥離紙の厚さ寸法未満のプレス線若しくは切り込みにより構成されていることを特徴とするインデックスラベルシート。
【請求項３】
剥離紙と、この剥離紙に貼付されたインデックスラベルとからなるインデックスラベルシートにおいて、
前記インデックスラベルの少なくとも一端側と当該一端側に位置する剥離紙との略同一線上に折り曲げ可能な位置決め部を設け、この位置決め部は、前記インデックスラベル又は剥離紙の厚さ寸法未満のプレス線若しくは切り込みにより構成されていることを特徴とするインデックスラベルシート。
【請求項４】
前記インデックスラベルは、所定の表示領域を備えた表示部と、この表示部に連なる貼り付け部とを備え、これら表示部と貼り付け部との間に前記位置決め部が設けられていることを特徴とする請求項１，２又は３記載のインデックスラベルシート。
【請求項５】
前記貼り付け部に略対応する剥離紙の領域若しくはこれを含む領域に略閉ループ状の切り込み部が設けられていることを特徴とする請求項４記載のインデックスラベルシート。
【請求項６】
前記インデックスラベルは、剥離紙上に複数枚貼付されているとともに、前記位置決め部の延出方向に沿って略等間隔に配置されていることを特徴とする請求項１ないし５の何れかに記載のインデックスラベルシート。
【請求項７】
前記剥離紙における前記延出方向の幅寸法は、ＪＩＳ規格の用紙サイズの縦若しくは横方向の寸法と略同一に設定されていることを特徴とする請求項６記載のインデックスラベルシート。
【請求項８】
前記貼り付け部のみが剥離紙から部分的に剥がせることを特徴とする請求項４又は５記載のインデックスラベルシート。
【請求項９】
前記剥離紙に形成された位置決め部は、ミシン目により構成されていることを特徴とする請求項２ないし７の何れかに記載のインデックスラベルシート。
【発明の詳細な説明】
【０００１】
【発明の属する技術分野】
本発明は、インデックスラベルシートに係り、更に詳しくは、ファイルや書籍等の紙面の端縁領域にインデックスラベルを容易に貼り付けることのできるインデックスラベルシートに関する。
【０００２】
【従来の技術】
従来より、ファイルや書籍等の紙面の端縁領域に貼り付けて見出しとして利用可能なインデックスラベルが広く利用されるに至っている。このインデックスラベルの構成としては、剥離紙に貼付されるとともに、横方向中央部で二つ折り可能な見出し片を備えたものが一般的である。インデックスラベルを紙面に貼り付ける場合、先ず、剥離紙からインデックスラベルを完全に剥がし取り、見出し片が二枚厚となるように折り曲げながら紙面Ｐの端縁領域を表裏より挟み込むことにより行われる。
【０００３】
【発明が解決しようとする課題】
しかしながら、このようなインデックスラベルの構成にあっては、紙面の端縁に対して傾いた状態で貼付されたり、或いは、複数枚のインデックスラベルを貼付すると、各見出し片の端縁位置が不揃いとなる場合が多く、ファイル等の外観上の体裁を損なうという不都合を生じる。これは、貼り付け位置を人の感に依存して行わなければならないことに起因する。従って、貼り付け位置を正確なものとする場合には、定規等を用いた位置合わせ、或いは、一度貼り付けた後の貼り直し等の調整作業が不可避的に要求され、インデックスラベルの貼り付け作業に多大な労力と手間を強いるという不都合を招来する。
【０００４】
また、複数枚のインデックスラベルを紙面の端縁にずらしながら貼付する場合には、各見出し片の相互離間幅にばらつきが生じる傾向が強く、ファイルの小口の見栄えを悪化させてしまうという不都合がある。
【０００５】
【発明の目的】
本発明は、このような不都合に着目して案出されたものであり、その目的は、インデックスラベルを紙面の端縁領域に揃った状態で容易に貼り付けることができるインデックスラベルシートを提供することにある。
【０００６】
本発明の他の目的は、複数枚のインデックスラベルを貼り付けるときに、これらを略等間隔となるように容易に貼り付けることのできるインデックスラベルシートを提供することにある。
【０００７】
【課題を解決するための手段】
前記目的を達成するため、本発明は、剥離紙と、この剥離紙に貼付されたインデックスラベルとからなるインデックスラベルシートにおいて、
前記インデックスラベルの少なくとも一端側に折り曲げ可能な位置決め部を設け、この位置決め部は、インデックスラベルの厚さ寸法未満のプレス線若しくは切り込みにより構成される、という構成を採っている。このような構成によれば、インデックスラベルを位置決め部に沿って折り曲げて剥離紙から部分的に剥がした後、その剥がした領域と剥離紙との間に紙面の端縁領域を差し込むことにより、その端縁が位置決め部に略線状に突き当たることとなる。この状態で、インデックスラベルを前記端縁領域に貼り付けることにより、インデックスラベルが紙面の端縁に対して傾いた姿勢で貼付されることを防止でき、且つ、インデックスラベルの紙面端縁からの突出幅若しくは突出量を常に一定に維持することが可能となる。これにより、定規等を用いることなくファイル等の小口の見栄えを良好に維持することができるばかりでなく、インデックスラベルの貼り付け作業が簡易且つ迅速に行われるという優れた効果を得る。しかも、従来のインデックスラベルシートに簡単な加工を行うだけで位置決め部を形成することができる。
【０００８】
また、本発明は、剥離紙と、この剥離紙に貼付されたインデックスラベルとからなるインデックスラベルシートにおいて、
前記インデックスラベルの少なくとも一端側に位置する剥離紙に折り曲げ可能な位置決め部を設け、この位置決め部は、剥離紙の厚さ寸法未満のプレス線若しくは切り込みにより構成される、という構成を採ることもできる。このような構成によれば、剥離紙を位置決め部において折り曲げることにより、位置決め部に紙面の端縁を略線状に突き当てることができ、前述と同様の効果を得ることが可能となる。
【０００９】
更に、本発明は、剥離紙と、この剥離紙に貼付されたインデックスラベルとからなるインデックスラベルシートにおいて、
前記インデックスラベルの少なくとも一端側と当該一端側に位置する剥離紙との略同一線上に折り曲げ可能な位置決め部を設け、この位置決め部は、前記インデックスラベル又は剥離紙の厚さ寸法未満のプレス線若しくは切り込みにより構成される、という構成を採用することができる。これによれば、インデックスラベル及び剥離紙の折り曲げを選択的に行うことができ、貼り付け作業をより一層スムースに行うことが可能となる。
【００１０】
【発明の実施の形態】
本発明において、前記インデックスラベルは、所定の表示領域を備えた表示部と、この表示部に連なる貼り付け部とを備え、これら表示部と貼り付け部との間に前記位置決め部が設けられる、という構成を採ることが好ましい。このような構成によれば、表示部を見出しとして丁度良い突出幅に設定することができ、且つ、貼り付け部の貼り付け面積を十分に確保することが可能となる。
【００１１】
また、前記貼り付け部に略対応する剥離紙の領域若しくはこれを含む領域に略閉ループ状の切り込み部が設けられる、という構成も採用することができる。このような構成を採れば、切り込み部で囲まれる内側の剥離紙部分を貼り付け部から剥がすことにより、貼り付け部の接着面のみを容易に露出させることができる。
【００１２】
更に、前記インデックスラベルは、剥離紙上に複数枚貼付されているとともに、前記位置決め部の延出方向に沿って略等間隔に配置される、という構成を採ることができる。このような構成により、複数枚の紙面の各頁にインデックスラベルを重なり合わないように貼り付ける場合、その都度、剥離紙の前記延出方向一端を書類の一端に位置合わせすることにより、各インデックスラベルを略等間隔に簡単に貼り付けることができる。
【００１３】
また、前記剥離紙における前記延出方向の幅寸法は、ＪＩＳ規格の用紙サイズの縦若しくは横方向の寸法と略同一に設定される、という構成を採るとよい。このような構成によれば、広く市販されているルーズリーフやノート等の紙面と剥離紙との位置合わせを前記延出方向両端側において行うことができるため、位置合わせ作業を簡易且つスムースに行うことが可能となる。
【００１４】
更に、前記剥離紙に形成された位置決め部はミシン目により構成される、という構成も好ましくは採用される。このような構成では、従来のインデックスラベルシートに簡単な加工を行うだけで位置決め部を形成することができる。
【００１５】
なお、本明細書における方向若しくは位置的用語は、特に明示しない限り、図１を基準として用いるものとする。
【００１６】
【実施例】
以下、本発明の実施例を図面を参照しながら説明する。
【００１７】
［第１実施例］
図１には、第１の実施例に係るインデックスラベルシートの平面図が示され、図２には、インデックスラベルの拡大平面図が示されている。これらの図において、インデックスラベルシート１０は、所定の表面処理が施された剥離紙１１と、この剥離紙１１に縦及び横方向に３列ずつ並んで貼付された複数枚のインデックスラベル１２とを備えて構成されている。
【００１８】
各インデックスラベル１２は、図３に示されるように、裏面に粘着層１２Ａを備えた一枚のシール状に設けられている。インデックスラベル１２は、面内に文字等を記入するための表示領域を備えた表示部１３と、表示部１３の横方向中央部に設けられて上下方向に延びるとともに、表示部１３を二つ折り可能（図６参照）とする折れ目１５と、表示部１３の横方向両側にそれぞれ連なる貼り付け部１６，１６とを備えている。表示部１３の面内には、折れ目１５を挟んで左右両側に位置し、縦長の長方形状となる枠線１７が印刷されている。また、表示部１３の一端（図２中左端）と貼り付け部１６との間には、インデックスラベル１２を折り曲げ可能とする位置決め部１８が設けられている。なお、貼り付け部１６は、図示された左右幅に限定されるものでなく、表示部１３の左右両側に位置する一定の領域を意味するものであり、紙面Ｐの端縁からのはみ出し幅Ｗ（図６参照）に応じて前記左右幅を適宜変更することができる。
【００１９】
前記位置決め部１８は、図２及び３に示されるように、上下方向に直線状に延びるとともに、インデックスラベル１２の表面に当該インデックスラベル１２の厚さ未満の深さとなるプレス線若しくは切り込みを設けることにより構成されている。これにより、位置決め部１８に沿ってインデックスラベル１２が折り曲げ可能となり、図４に示されるように、貼り付け部１６のみが剥離紙１１から部分的に剥がせるようになっている。
【００２０】
以上の構成において、インデックスラベル１２をファイル等の紙面Ｐ（図４参照）に貼り付ける場合、予め所定の文字等を表示部１３に記入しておき、位置決め部１８に沿ってインデックスラベル１２を折り曲げて左側の貼り付け部１６のみを剥離紙１１から剥離する。次に、図５に示されるように、前記貼り付け部１６と剥離紙１１との間に紙面Ｐの端縁領域を差し込み、当該端縁を位置決め部１８に線接触するように突き当てる。この状態で、貼り付け部１６を折り戻して紙面Ｐの表面に貼り付けた後、インデックスラベル１２を剥離紙１１から完全に剥がし取り、図６に示されるように、折れ目１５に沿って表示部１３を折り返して二枚厚としながら右側の貼り付け部１６を紙面Ｐの裏面側に貼り付ける。そして、以後、同様の要領にて、インデックスラベル１２の貼り付け位置をずらしながら複数のインデックスラベル１２を貼付する。
【００２１】
従って、このような第１の実施例によれば、インデックスラベル１２に位置決め部１８を設けたので、折れ目１５と紙面Ｐの端縁とが略平行となる貼り付けを行うことができ、また、複数のインデックスラベル１２を貼り付ける場合であっても、各インデックスラベル１２のはみ出し幅Ｗを常に一定に保つことが可能となる。
【００２２】
次に、本発明の前記以外の実施例について説明する。なお、以下の説明において、前記第１の実施例と同一若しくは同等の構成部分については必要に応じて同一符号を用いるものとし、説明を省略若しくは簡略にする。
【００２３】
［第２実施例］
図７〜図１０には、本発明の第２の実施例が示されている。この実施例は、剥離紙１１に位置決め部２０を設けて当該剥離紙１１を折り曲げ可能としたところに特徴を有する。
【００２４】
すなわち、第２の実施例における位置決め部２０は、剥離紙１１の上下方向に沿って延びるとともに、表示部１３と左側の貼り付け部１６との間に位置するように設けられている。位置決め部２０は、図８に示されるように、剥離紙１１の裏面に、当該剥離紙１１の厚さ未満となるプレス線若しくは切り込みを設けることにより構成されている。これにより、位置決め部２０に沿って剥離紙１１を折り曲げることができ（図９参照）、当該折り曲げによって左側の貼り付け部１６のみが剥離紙１１から剥がされ、図１０に示されるように、位置決め部２０を紙面Ｐの端縁に突き当てて貼り付け部１６を紙面Ｐに貼り付けることが可能となる。
【００２５】
従って、このような第２の実施例によれば、剥離紙１１に位置決め部２０を設けたから、第１の実施例と同様に貼り付け作業を容易に行うことができ、且つ、インデックスラベル１２の傾きを効果的に防止することが可能となる。また、インデックスラベル１２の上下両側に位置する剥離紙１１を位置決め部２０に沿って折り曲げることにより、粘着層１２Ａに手が触れることなくインデックスラベル１２を剥離紙１１から剥がすことができ、貼り付け作業が煩雑となることを効果的に回避することが可能となる。
【００２６】
［第３実施例］
図１１〜図１３には、本発明の第３の実施例が示されている。この実施例は、剥離紙１１の貼り付け部１６に略対応する領域に略閉ループ状の切り込み部２２を設けたところに特徴を有する。
【００２７】
すなわち、前記切り込み部２２は、左側の貼り付け部１６の外周縁及び位置決め部１８に沿う位置において剥離紙１１を切り込むことにより構成されている。切り込み部２２で囲まれた剥離紙部分１１Ａは、図１２に示されるように、インデックスラベル１２を位置決め部１８に沿って折り曲げたときに、貼り付け部１６と共に上向きとなる。この状態で、前記剥離紙部分１１Ａを剥離することにより、紙面Ｐの端縁を位置決め部１８に突き当て、貼り付け部１６を紙面Ｐに貼付することが可能となっている。
【００２８】
従って、このような第３の実施例によれば、剥離紙１１の裏面側から前記剥離紙部分１１Ａを押し上げることにより、インデックスラベル１２の折り曲げ作業をスムースに行うことが可能となる。
【００２９】
［第４実施例］
図１４〜図１６には、本発明の第４の実施例が示されている。この実施例は、第３の実施例の切り込み部２２に比べて、切り込み部２４の大きさを上下方向に延ばしたところに特徴を有する。
【００３０】
すなわち、第４の実施例における切り込み部２４は、左側の貼り付け部１６の左端及び位置決め部１８に沿う位置であって貼り付け部１６の上下両端からはみ出るように剥離紙１１を切り込むことにより形成された縦切れ目２５，２５と、これら縦切れ目２５，２５の上下両端間に形成された横切れ目２６，２６とを備えて構成されている。各横切れ目２６，２６は、本実施例では、ミシン目により構成されているが、これに限定されず、縦切れ目２５と同様に剥離紙１１を切り込むことにより形成してもよい。
【００３１】
以上の構成において、切り込み部２４で囲まれる剥離紙部分１１Ａを左側の貼り付け部１６から剥離する場合、図１５に示されるように、前記剥離紙部分１１Ａを裏面側から押し上げ、各横切れ目２６，２６を切り離しながら位置決め部１８に沿ってインデックスラベル１２を折り曲げる。そして、前記剥離紙部分１１Ａにおける貼り付け部１６の上下両端からはみ出した領域を指先で掴んで図１６中矢印Ｘ方向に捲ることにより、剥離紙部分１１Ａが剥離される。
【００３２】
従って、このような第４の実施例によれば、前記剥離紙部分１１Ａの上下両端側が掴み代として作用することとなり、剥離紙部分１１Ａを極めて容易に剥離することが可能となる。
【００３３】
［第５実施例］
図１７及び図１８には、本発明の第５の実施例が示されている。この実施例の各インデックスラベル１２は、縦方向に６枚、横方向に３枚に並んで剥離紙１１に貼付されている。縦方向に並んで貼付された各インデックスラベル１２は、縦方向、すなわち、位置決め部１６の延出方向に沿って略等間隔となるようにそれぞれ配置されている。
【００３４】
前記剥離紙１１における延出方向の幅寸法Ｈ１は、紙面Ｐの縦方向の幅寸法Ｈ２と略同一に設定されており、例えば、ＪＩＳ規格におけるＢ５サイズの紙面Ｐに対応するための剥離紙１１とする場合には、前記幅寸法Ｈ１は約２５７ｍｍに設定されている。なお、前記幅寸法Ｈ１は、前述した寸法に限定されるものでなく、ＪＩＳ規格のＡ列及びＢ列の縦及び横方向の幅寸法と略同一となる種々のバリエーションが考えられる。
【００３５】
なお、本実施例において、位置決め部１６をインデックスラベル１２に設けた場合を説明したが、図１９に示されるように、第２の実施例と同様に剥離紙１１に位置決め部２０を設けた構成としてもよい。
【００３６】
従って、このような第４の実施例によれば、インデックスラベル１２の貼り付け位置をずらしながら複数のインデックスラベル１２を貼り付ける場合、各インデックスラベル１２を貼り付ける毎に剥離紙１１の上下両端と紙面Ｐの上下両端を位置合わせすることにより、図１８に示されるように、各インデックスラベル１２が上下方向に沿って略等間隔となるように貼り付けることが可能となる。
【００３７】
なお、前記各実施例において、位置決め部１６，２０をインデックスラベル１２の左端側にのみ設けた場合を説明したが、本発明は、これに限定されるものでなく、図２０及び図２１に示されるように、位置決め部１６，２０をインデックスラベル１２の左右両端側にそれぞれ設けてもよい。また、位置決め部１６，２０を剥離紙１１又はインデックスラベル１２の何れか一方に設ける構成としたが、これらの両方に設けた構成にすることもできる。更に、剥離紙１１に形成された位置決め部２０は、プレス線若しくは切り込みに限られず、ミシン目により構成してもよい。
【００３８】
更に、第４の実施例における剥離紙１１の幅寸法Ｈ１をＪＩＳ規格のＡ列及びＢ列の縦及び横方向の幅寸法と略同一としたが、インデックスラベル１２が位置決め部１６，２０の延出方向に沿って略等間隔に配置されている限り、前記幅寸法Ｈ１を自由に設定することもできる。この場合、剥離紙１１の上端若しくは下端と、紙面Ｐの上端若しくは下端とを各頁毎に位置合わせすることにより、各インデックスラベル１２を紙面Ｐの端縁に沿って略等間隔に貼付することが可能となる。
【００３９】
【発明の効果】
以上説明したように、本発明によれば、インデックスラベル又は剥離紙を位置決め部に沿って折り曲げてから、紙面端縁を位置決め部に突き当てて貼り付けることにより、紙面に対するインデックスラベルの傾きを容易に防止することができ、インデックスラベルの紙面端縁からのはみ出し幅を常に一定に保つことが可能となる。これにより、正確な位置決めをするための煩雑な作業を回避することができるばかりでなく、ファイル等の外観上の体裁を良好に維持することができる。
【００４０】
また、インデックスラベルの表示部と貼り付け部との間に位置決め部を設けた場合には、見出しとしての領域と紙面への貼付領域とを十分に確保することが可能となる。
【００４１】
更に、貼り付け部に略対応する剥離紙の領域若しくはこれを含む領域に切り込み部が設けられているから、切り込み部で囲まれる内側の剥離紙部分を貼り付け部から剥がすことにより、貼り付け部の接着面のみを容易に露出させることができる。
【００４２】
また、複数枚のインデックスラベルが剥離紙上に位置決め部の延出方向に沿って略等間隔に配置されているから、各インデックスラベルを重なり合わないように貼り付けるときに、各頁毎に剥離紙の前記延出方向一端と書類の一端とを位置合わせを行うことにより、各インデックスラベルを略等間隔に貼り付ける作業の迅速化を図ることができる。
【００４３】
更に、剥離紙における前記延出方向の幅寸法をＪＩＳ規格の用紙サイズの縦若しくは横方向の寸法と略同一に設定した場合には、ルーズリーフやノート等の紙面に剥離紙の位置合わせを前記延出方向両端側において容易に行うことが可能となる。
【００４４】
また、位置決め部は、インデックスラベル又は剥離紙の厚さ寸法未満のプレス線若しくは切り込みにより構成され、或いは、剥離紙の位置決め部がミシン目により構成されているから、従来のインデックスラベルシートを製造するための製造装置を有効に利用することができる。
【図面の簡単な説明】
【図１】第１の実施例に係るインデックスラベルシートの平面図。
【図２】第１の実施例に係るインデックスラベルの拡大平面図。
【図３】図１のＡ−Ａ線に沿う拡大断面図。
【図４】前記インデックスラベルを紙面に貼り付ける直前状態を示す概略斜視図。
【図５】前記インデックスラベルを紙面に貼り付ける中間状態を示す概略斜視図。
【図６】前記インデックスラベルを紙面に貼り付けた後の状態を示す概略斜視図。
【図７】第２の実施例に係るインデックスラベルシートの平面図。
【図８】図７のＢ−Ｂ線に沿う拡大断面図。
【図９】前記インデックスラベルを紙面に貼り付ける直前状態を示す概略斜視図。
【図１０】前記インデックスラベルを紙面に貼り付ける中間状態を示す概略斜視図。
【図１１】第３の実施例に係るインデックスラベルシートの一部拡大斜視図。
【図１２】インデックスラベルを折り曲げた状態を示す図１１と同様の斜視図。
【図１３】切り込み部で囲まれる剥離紙部分を剥がした状態を示す図１１と同様の斜視図。
【図１４】第４の実施例に係るインデックスラベルシートの一部拡大斜視図。
【図１５】インデックスラベルを折り曲げた状態を示す図１４と同様の斜視図。
【図１６】切り込み部で囲まれる剥離紙部分を剥がした状態を示す図１４と同様の斜視図。
【図１７】第５の実施例に係るインデックスラベルシートの概略斜視図。
【図１８】インデックスラベルを紙面に貼り付けた後の状態を示す概略斜視図。
【図１９】変形例に係るインデックスラベルシートの概略斜視図。
【図２０】他の変形例に係るインデックスラベルの拡大平面図。
【図２１】更に他の変形例に係るインデックスラベルシートの平面図。
【符号の説明】
１０  インデックスラベルシート
１１  剥離紙
１２  インデックスラベル
１３  表示部
１６  貼り付け部
１８，２０  位置決め部
２２，２４  切り込み部
【図１】
0004016643.tif 000002
【図２】
0004016643.tif 000003
【図３】
0004016643.tif 000004
【図４】
0004016643.tif 000005
【図５】
0004016643.tif 000006
【図６】
0004016643.tif 000007
【図７】
0004016643.tif 000008
【図８】
0004016643.tif 000009
【図９】
0004016643.tif 000010
【図１０】
0004016643.tif 000011
【図１１】
0004016643.tif 000012
【図１２】
0004016643.tif 000013
【図１３】
0004016643.tif 000014
【図１４】
0004016643.tif 000015
【図１５】
0004016643.tif 000016
【図１６】
0004016643.tif 000017
【図１７】
0004016643.tif 000018
【図１８】
0004016643.tif 000019
【図１９】
0004016643.tif 000020
【図２０】
0004016643.tif 000021
【図２１】
0004016643.tif 000022